(57)【要約】パケット送信エンティティおよびパケット受信エンティティが、パラメータ信号チャネル（ＳＣＣＨ）を用い、かつ共用データチャネル（ＳＤＣＨ）を用いて通信するシステムであって、当該通信がパケットデータが１または２以上の伝送時間間隔（ＴＴＩ）にわたって伝送されるときに、ひとたびパラメータ信号チャネルがパケットを通信するために当該パケット受信エンティティに割り当てられると、その後のＴＴＩにパケットの少なくとも一部が存在する限り、当該割り当てられたチャネルがその後のＴＴＩ毎に使用されるようになされる。存在する場合、前記パケット受信エンティティは、データチャネルと協同してその後のＴＴＩのために唯一のパラメータ信号チャネルを逆拡散し、復号化する。存在しない場合、前記パケット受信エンティティは、その後のＴＴＩのためにすべてのパラメータ信号チャネルを逆拡散し、パラメータ信号チャネルのいくつかまたはすべてを復号化する。
2005507583.tif 000002
【特許請求の範囲】
【請求項１】
パケット通信システムの一部としてパケット送信エンティティを作動する方法であって、前記パケット通信システムが、前記パケット送信エンティティとパケット受信エンティティとを含み、前記通信システムが、複数のパラメータ信号チャネル（ＳＣＣＨ）を使用し、そして、さらに、複数の共用データチャネル（ＳＣＣＨ）を使用し、前記パケット通信システムは、パケットデータが、前記パケット送信エンティティから前記パケット受信エンティティへ伝送されるときに、前記パケット送信エンティティと前記パケット受信エンティティとのあいだの通信が、１つ以上の伝送時間間隔（ＴＴＩＳ）によって生ずるプロトコルにより作動し、前記方法が、
ａ）前記パラメータ信号チャネルの少なくとも１つを使用して前記共用データチャネルのいくつか、あるいは、すべてを復号化するために、前記パラメータの少なくともいくつかを、前記パケット送信エンティティに前記パケット受信エンティティに対して伝送させる、パラメータ伝送ステップと
ｂ）前記少なくとも１つのパラメータ信号チャネルによって供給される前記パラメータによる前記共用データチャネルの少なくとも１つを使用して通信される前記データを、前記パケット送信エンティティに前記パケット受信エンティティに対して供給させる、データ供給ステップと
ｃ）次の前記連続ＴＴＩＳにおける前記同じパケット受信エンティティのために前記共用データチャネルの少なくとも１つによって伝送されるあらゆる追加データを復号化するためのパラメータを伝送するために、前記パケット送信エンティティに前記同一の少なくとも１つのパラメータ信号チャネルを使用することを続けさせる、別のパラメータ伝送ステップと
を備えている方法。
【請求項２】
前記パラメータ伝送ステップでは、前記パケット送信エンティティは、前記次のＴＴＩ内の前記共用データチャネルのいくつか、あるいは、すべてを復号化するための前記パラメータの少なくともいくつかを１つのＴＴＩ内に前記パケット受信エンティティに伝送する請求項１記載の方法。
【請求項３】
前記データ供給ステップでは、前記パケット送信エンティティは、前記パラメータ信号チャネルが前記少なくとも１つのパラメータ信号チャネルによって供給される前記パラメータによる前記共用データチャネルの少なくとも１つを使用して通信される前記データを、伝送される前記ＴＴＩに直ぐに続く前記ＴＴＩにおいて、前記パケット受信エンティティに供給する請求項２記載の方法。
【請求項４】
さらに、前記パラメータ伝送ステップの前に、
ａ）パラメータ信号チャネルが、前記パケット受信エンティティのために意図される前記パケットを構成するデータのストリームに停止があるまで前記共用データチャネルを復号化するためのパラメータを供給するために、数の上で十分である１つ以上の連続ＴＴＩＳのために前記パケット受信エンティティに割当てられることを、前記パケット送信エンティティに前記パケット受信エンティティに対して表示させるステップと
ｂ）前記パケット送信エンティティにパラメータ信号チャネルを前記パケット受信エンティティに対して割当てさせるステップと
を備えている請求項３記載の方法。
【請求項５】
さらに、前記別のパラメータ伝送ステップの前に、
ａ）前記同じパラメータ信号チャネルが、前記次のＴＴＩにおける前記共用データチャネルによって供給されるデータを復号化するためのパラメータを得るのに使用されることを、前記パケット送信エンティティに表示することを続けさせるステップと
ｂ）前記パケットの一部が、前記共用データチャネルによって伝送される最後のＴＴＩの前に、あるいは、最後のＴＴＩにおいて、前記パラメータ信号チャネルが、前記パケット受信エンティティにもはや割当てられないことを、前記送信エンティティに前記パケット受信エンティティに対して信号を送らせるステップと
を備えている請求項３記載の方法。
【請求項６】
前記パケット送信エンティティが、専用ページングチャネル（ＤＰＣＨ）によって伝達される情報を媒介としてパラメータ信号チャネルを割当て、前記情報は、前記パケットの少なくとも一部が伝達される最初のＴＴＩの前に前記ＴＴＩ中に伝達される請求項４記載の方法。
【請求項７】
前記パケット送信エンティティは、前記パケット受信エンティティが、パラメータ信号チャネルを割当てられることについてバイナリインジケータを使用して専用ページングチャネルによって表示することによりパラメータ信号チャネルを割当て、前記バイナリインジケータが、先ず、前記パケットの少なくとも一部が伝達される最初のＴＴＩの直ぐ前の前記ＴＴＩ中に伝達される請求項４記載の方法。
【請求項８】
前記専用ページングチャネルにおいてバイナリビットインジケータを使用することと共同して、前記パケット送信エンティティが、前記割当てられたパラメータ信号チャネルを符号化するために誤り検知コード、前記パラメータ信号チャネルが割当てられる前記パケット受信エンティティによって順番に独占的に使用される誤り検知コードを使用する請求項７記載の方法。
【請求項９】
前記専用ページングチャネルにおいてバイナリビットインジケータを使用することと共同して、前記パケット送信エンティティが、割当てられる前記パラメータ信号チャネルによって、パラメータ信号チャネルを割当てられる前記パケット受信エンティティの識別子を伝達する請求項７記載の方法。
【請求項１０】
前記パケットの少なくとも一部が先ず伝達される前記ＴＴＩの直ぐ前の前記ＴＴＩにおいて、前記パケット送信エンティティは、前記割当てられたパラメータ信号チャネルを符号化するために誤り検知コード、前記パラメータ信号チャネルが割当てられる前記パケット受信エンティティによって順番に独占的に使用される誤り検知コードを使用する請求項４記載の方法。
【請求項１１】
前記パケットの少なくとも一部が先ず伝達される前記ＴＴＩの直ぐ前の前記ＴＴＩにおいて、前記パケット送信エンティティが、割当てられる前記パラメータ信号チャネルによって、パラメータ信号チャネルを割当てられる前記パケット受信エンティティの識別子を伝達する請求項４記載の方法。
【請求項１２】
前記パケット送信エンティティは、バイナリインジケータを使用して専用ページングチャネルによって、前記パケット受信エンティティがパラメータ信号チャネルを割当てられることを表示することによって、パラメータ信号チャネルを割当て、前記バイナリインジケータは、先ず、前記パケットの少なくとも一部が伝達される最初のＴＴＩの直ぐ前の前記ＴＴＩに伝達される請求項４記載の方法。
【請求項１３】
前記バイナリビットインジケータが、前記専用ページングチャネルによって伝達される前記ＴＴＩの次の前記ＴＴＩにおいて、前記パケット送信エンティティが、前記割当てられたパラメータ信号チャネルを符号化するために誤り検知コード、前記パラメータ信号チャネルが割当てられる前記パケット受信エンティティによって順番に独占的に使用される誤り検知コードを使用する請求項１２記載の方法。
【請求項１４】
前記バイナリビットインジケータが、前記専用ページングチャネルによって伝達される前記ＴＴＩの次の前記ＴＴＩにおいて、前記パケット送信エンティティが、割当てられる前記割パラメータ信号チャネルによって、パラメータ信号チャネルを割当てられる前記パケット受信エンティティの識別子を伝達する請求項１２記載の方法。
【請求項１５】
複数のパラメータ信号チャネル（ＳＣＣＨ）と、複数の共用データチャネル（ＳＤＣＨ）とを含むパケット通信システムを使用して、パケット受信エンティティにパケット送信エンティティからパケットを受信させるための方法であって、前記通信システムは、パケットが前記パケット送信エンティティからパケット受信エンティティに伝送されるとき、前記パケット送信エンティティは、前記パケットが前記パケット受信エンティティに通信されるという表示を供給し、前記パケット送信エンティティと前記パケット受信エンティティとのあいだの通信が、１つ以上の伝送時間間隔によって生ずるプロトコルにより作動し、前記方法が、
ａ）前記パケット送信エンティティが前記パケット受信エンティティにパラメータ信号チャネルを割当てるまで、前記パケット受信エンティティに前記パラメータ信号チャネルすべてを逆拡散させ、そして、前記パラメータ信号チャネルの予め定められたサブセットを復号化させるステップであって、前記パラメータ信号チャネルの予め定められたサブセットが、前記パラメータ信号チャネルのすべて、または１つであるか、あるいは、いずれのパラメータ信号チャネルも含まないかのいずれかであり
ｂ）パラメータ信号チャネルが、先ず、前記パケット受信エンティティに割当てられると、前記そのときのＴＴＩのための割当てであるパラメータ信号チャネルの割当て前を前記パケット受信エンティティに解釈させ、そして、前記パラメータ信号チャネルからパラメータデータを得るように、前記そのときのＴＴＩにおける前記割当てられたパラメータ信号を前記パケット受信エンティティに逆拡散させて、復号化させるステップと
ｃ）前記次のＴＴＩにおける前記共用データチャネルの内容を読取る際に、前記パラメータデータを前記パケット受信エンティティに使用させるステップと
ｄ）前記次のＴＴＩが前記パケットの少なくとも一部を含むかどうかを決定するように、前記パケット送信エンティティによって通信される情報を前記パケット受信エンティティにモニタさせるステップと
ｅ）前記最後のＴＴＩ前に前記パケットの一部が前記データチャネルによって伝送される前記ＴＴＩまでの各ＴＴＩにおいて、前記パケット受信エンティティに前記割当てられたパラメータ信号チャネルだけを逆拡散させ、そして、さらに、前記割当てられたパラメータ信号チャネルも復号化させるステップと
ｆ）前記パケットの一部が、前記共用データチャネルによって伝送される前記最後のＴＴＩのために、前記パケット受信エンティティに、前記割当てられたパラメータ信号チャネルだけを逆拡散させ、そして、さらに、前記割当てられたパラメータ信号チャネルをバッファリングさせるステップと
を備え、
それによって、パラメータ信号チャネルが、パケットを通信するために、前記パケット受信エンティティに割当てられると、前記割当てられたパラメータ信号チャネルが、前記次のＴＴＩに前記パケットの少なくとも一部があるあいだ、各次のＴＴＩにおいて前記パケット受信エンティティによって使用され、そして、前記次のＴＴＩに前記パケットの少なくとも一部があるとき、前記次のＴＴＩのために、前記パケット受信エンティティが、前記で多チャネルと一緒に１つのパラメータ信号茶ねＲだけを逆拡散して、復号化し、そして、前記次のＴＴＩに前記パケットの少なくとも一部がないとき、前記次のＴＴＩのために、前記パケット受信エンティティが、前記パラメータ信号チャネルすべてを逆拡散し、そして、前記パラメータ信号チャネルのすべて、または１つを復号化するか、あるいはいずれの前記パラメータ信号チャネルも復号化しないかのいずれかである、方法。
【請求項１６】
パケット通信システムの一部として作動するパケット送信エンティティであって、前記パケット通信システムが、前記パケット送信エンティティとパケット受信エンティティとを含み、前記通信システムが、複数のパラメータ信号チャネル（ＳＣＣＨ）を使用し、そして、さらに、複数の共用データチャネル（ＳＣＣＨ）を使用し、前記パケット通信システムは、パケットデータが、前記パケット送信エンティティから前記パケット受信エンティティへ伝送されるときに、前記パケット送信エンティティと前記パケット受信エンティティとのあいだの通信が、１つ以上の伝送時間間隔（ＴＴＩＳ）によって生ずるプロトコルにより作動し、前記パケット送信エンティティが、
ａ）前記パラメータ信号チャネルの少なくとも１つを使用して前記共用データチャネルのいくつか、あるいは、すべてを復号化するために、前記パラメータの少なくともいくつかを、前記パケット送信エンティティに前記パケット受信エンティティに対して伝送させる、パラメータ伝送手段と
ｂ）前記少なくとも１つのパラメータ信号チャネルによって供給される前記パラメータによる前記共用データチャネルの少なくとも１つを使用して通信される前記データを、前記パケット送信エンティティに前記パケット受信エンティティに対して供給させる、データ供給手段と
ｃ）前記次の連続ＴＴＩＳにおける前記同じパケット受信エンティティのために前記共用データチャネルの少なくとも１つによって伝送されるあらゆる追加データを復号化するためのパラメータを伝送するために、前記パケット送信エンティティに前記同一の少なくとも１つのパラメータ信号チャネルを使用することを続けさせる、別のパラメータ伝送手段と
を備えている、パケット送信エンティティ。
【請求項１７】
前記パケット送信エンティティが、前記次のＴＴＩ内の前記共用データチャネルのいくつか、あるいは、すべてを復号化するための前記パラメータの少なくともいくつかを１つのＴＴＩ内に前記パケット受信エンティティに伝送するように、前記パラメータ伝送手段は、作動可能である請求項１６記載のパケット送信エンティティ。
【請求項１８】
前記パケット送信エンティティは、前記パラメータ信号チャネルが前記少なくとも１つのパラメータ信号チャネルによって供給される前記パラメータによる前記共用データチャネルの少なくとも１つを使用して通信される前記データを伝送される前記ＴＴＩに直ぐに続く前記ＴＴＩにおいて前記パケット受信エンティティに供給するように、前記データ供給手段は、作動可能である請求項１７記載のパケット送信エンティティ。
【請求項１９】
さらに、
ａ）パラメータ信号チャネルが、前記パケット受信エンティティのために意図される前記パケットを構成するデータのストリームに停止があるまで前記共用データチャネルを復号化するためのパラメータを供給するために、数の上で十分である１つ以上の連続ＴＴＩＳのために前記パケット受信エンティティに割当てられることを、前記パケット送信エンティティに前記パケット受信エンティティに対して表示させる手段と；
ｂ）前記パケット送信エンティティにパラメータ信号チャネルを前記パケット受信エンティティに対して割当てさせる手段と
を備えている請求項１８記載のパケット送信エンティティ。
【請求項２０】
さらに、
ａ）前記同じパラメータ信号チャネルが、前記次のＴＴＩにおける前記共用データチャネルによって供給される前記データを復号化するためのパラメータを得るのに使用されることを、前記パケット送信エンティティに表示することを続けさせる手段と
ｂ）前記パラメータ信号チャネルが、前記パケット受信エンティティにもはや割当てられないことを、前記送信エンティティに前記パケット受信エンティティに対して信号を送らせる手段と、前記信号は、前記パケットの一部が、前記共用データチャネルによって伝送される最後のＴＴＩの前に、あるいは、最後のＴＴＩにおいて供給される
を備えている請求項１８記載のパケット送信エンティティ。
【請求項２１】
前記パケット送信エンティティが、専用ページングチャネル（ＤＰＣＨ）によって伝達される情報を媒介としてパラメータ信号チャネルを割当て、前記情報は、前記パケットの少なくとも一部が伝達される最初のＴＴＩの前の前記ＴＴＩ中に伝達される請求項１９記載のパケット送信エンティティ。
【請求項２２】
前記パケット送信エンティティは、前記パケット受信エンティティが、パラメータ信号チャネルを割当てられることについてバイナリインジケータを使用して専用ページングチャネルによって表示することによりパラメータ信号チャネルを割当て、前記バイナリインジケータが、先ず、前記パケットの少なくとも一部が伝達される最初のＴＴＩの直ぐ前の前記ＴＴＩ中に伝達される請求項１９記載のパケット送信エンティティ。
【請求項２３】
前記専用ページングチャネルにおいてバイナリビットインジケータを使用することと共同して、前記パケット送信エンティティが、前記割当てられたパラメータ信号チャネルを符号化するために誤り検知コード、前記パラメータ信号チャネルが割当てられる前記パケット受信エンティティによって順番に独占的に使用される誤り検知コードを使用する請求項２２記載のパケット送信エンティティ。
【請求項２４】
前記専用ページングチャネルにおいてバイナリビットインジケータを使用することと共同して、前記パケット送信エンティティが、割当てられる前記パラメータ信号チャネルによって、パラメータ信号チャネルを割当てられる前記パケット受信エンティティの識別子を伝達する請求項２２記載のパケット送信エンティティ。
【請求項２５】
前記パケットの少なくとも一部が先ず伝達される前記ＴＴＩの直ぐ前の前記ＴＴＩにおいて、前記パケット送信エンティティは、前記割当てられたパラメータ信号チャネルを符号化するために誤り検知コード、前記パラメータ信号チャネルが割当てられる前記パケット受信エンティティによって順番に独占的に使用される誤り検知コードを使用する請求項１９記載のパケット送信エンティティ。
【請求項２６】
前記パケットの少なくとも一部が先ず伝達される前記ＴＴＩの直ぐ前の前記ＴＴＩにおいて、前記パケット送信エンティティが、割当てられる前記パラメータ信号チャネルによって、パラメータ信号チャネルを割当てられる前記パケット受信エンティティの識別子を伝達する請求項１９記載のパケット送信エンティティ。
【請求項２７】
前記パケット送信エンティティは、バイナリインジケータを使用して専用ページングチャネルによって、前記パケット受信エンティティがパラメータ信号チャネルを割当てられることを表示することによって、パラメータ信号チャネルを割当て、前記バイナリインジケータは、先ず、前記パケットの少なくとも一部が伝達される最初のＴＴＩの直ぐ前の前記ＴＴＩ中に伝達される請求項１９記載のパケット送信エンティティ。
【請求項２８】
前記バイナリビットインジケータが、前記専用ページングチャネルによって伝達される前記ＴＴＩの次の前記ＴＴＩにおいて、前記パケット送信エンティティが、前記割当てられたパラメータ信号チャネルを符号化するために誤り検知コード、前記パラメータ信号チャネルが割当てられる前記パケット受信エンティティによって順番に独占的に使用される誤り検知コードを使用する請求項２７記載のパケット送信エンティティ。
【請求項２９】
前記バイナリビットインジケータが、前記専用ページングチャネルによって伝達される前記ＴＴＩの次の前記ＴＴＩにおいて、前記パケット送信エンティティが、割当てられる前記割パラメータ信号チャネルによって、パラメータ信号チャネルを割当てられる前記パケット受信エンティティの識別子を伝達する請求項２７記載のパケット送信エンティティ。
【請求項３０】
複数のパラメータ信号チャネル（ＳＣＣＨ）と、複数の共用データチャネル（ＳＤＣＨ）とを含むパケット通信システムを媒介としてパケット送信エンティティからパケットを受信するためのパケット受信エンティティであって、前記通信システムは、パケットが前記パケット送信エンティティからパケット受信エンティティに伝送されるとき、前記パケット送信エンティティは、前記パケットが前記パケット受信エンティティに通信されるという表示を供給し、前記パケット送信エンティティと前記パケット受信エンティティとのあいだの通信が、１つ以上の伝送時間間隔によって生ずるプロトコルにより作動し、前記パケット受信エンティティが、
ａ）前記パケット送信エンティティが前記パケット受信エンティティにパラメータ信号チャネルを割当てるまで、前記パケット受信エンティティに前記パラメータ信号チャネルすべてを逆拡散させ、そして、前記パラメータ信号チャネルの予め定められたサブセットを復号化させる手段であって、前記パラメータ信号チャネルの予め定められたサブセットが、前記パラメータ信号チャネルのすべて、または１つであるか、あるいは、いずれのパラメータ信号チャネルも含まないものであり
ｂ）前記そのときのＴＴＩのための割当てであるパラメータ信号チャネルの割当てを前記パケット受信エンティティに解釈させ、そして、前記パラメータ信号チャネルからパラメータデータを得るように、前記そのときのＴＴＩにおける前記割当てられたパラメータ信号を前記パケット受信エンティティに逆拡散させて、復号化させる手段と
ｃ）前記次のＴＴＩにおける前記共用データチャネルの内容を読取る際に、前記パラメータデータを前記パケット受信エンティティに使用させる手段と
ｄ）前記次のＴＴＩが前記パケットの少なくとも一部を含むかどうかを決定するように、前記パケット送信エンティティによって通信される情報を前記パケット受信エンティティにモニタさせる手段と
ｅ）前記最後のＴＴＩ前に前記パケットの一部が前記データチャネルによって伝送される前記ＴＴＩまでの各ＴＴＩにおいて、前記パケット受信エンティティに前記割当てられたパラメータ信号チャネルだけを逆拡散させ、そして、さらに、前記割当てられたパラメータ信号チャネルも復号化させる手段と
ｆ）前記パケットの一部が、前記共用データチャネルによって伝送される前記最後のＴＴＩのために、前記パケット受信エンティティに、前記割当てられたパラメータ信号チャネルだけを逆拡散させ、そして、さらに、前記割当てられたパラメータ信号チャネルをバッファリングさせる手段と
を備え、
それによって、パラメータ信号チャネルが、パケットを通信するために、前記パケット受信エンティティに割当てられると、前記割当てられたパラメータ信号チャネルが、前記次のＴＴＩに前記パケットの少なくとも一部があるあいだ、各次のＴＴＩにおいて前記パケット受信エンティティによって使用され、そして、前記次のＴＴＩに前記パケットの少なくとも一部があるとき、前記次のＴＴＩのために、前記パケット受信エンティティが、前記データチャネルと一緒に１つのパラメータ信号チャネルでけを逆拡散して、復号化し、そして、前記次のＴＴＩに前記パケットの少なくとも一部がないとき、前記次のＴＴＩのために、前記パケット受信エンティティが、前記パラメータ信号チャネルすべてを逆拡散し、そして、前記パラメータ信号チャネルのすべて、または１つを復号化するか、あるいは、いずれの前記パラメータ信号チャネルも復号化しないかのいずれかである、パケット受信エンティティ。
【請求項３１】
システムであって、
ａ）パケット送信エンティティと、
ｂ）複数のパラメータ信号チャネル（ＳＣＣＨ）と、複数の共用データチャネル（ＳＤＣＨ）とを含むパケット通信システムを媒介としてパケット送信エンティティからパケットを受信するためのパケット受信エンティティとを備え、前記通信システムは、パケットが前記パケット送信エンティティからパケット受信エンティティに伝送されるとき、前記パケット送信エンティティは、前記パケットが前記パケット受信エンティティに通信されるという表示を供給し、前記パケット送信エンティティと前記パケット受信エンティティとのあいだの通信が、１つ以上の伝送時間間隔によって生ずるプロトコルにより作動し、
前記パケット受信エンティティが、
ａ１）前記パラメータ信号チャネルの少なくとも１つを使用して前記共用データチャネルのいくつか、あるいは、すべてを復号化するために、前記パラメータの少なくともいくつかを、前記パケット送信エンティティに前記パケット受信エンティティに対して伝送させる、パラメータ伝送手段と
ａ２）前記少なくとも１つのパラメータ信号チャネルによって供給される前記パラメータによる前記共用データチャネルの少なくとも１つを使用して通信される前記データを、前記パケット送信エンティティに前記パケット受信エンティティに対して供給させる、データ供給手段と
ａ３）前記次の連続ＴＴＩＳにおける前記同じパケット受信エンティティのために前記共用データチャネルの少なくとも１つによって伝送されるあらゆる追加データを復号化するためのパラメータを伝送するために、前記パケット送信エンティティに前記同一の少なくとも１つのパラメータ信号チャネルを使用することを続けさせる、別のパラメータ伝送手段と
を備え、
そして、さらに、前記パケット受信エンティティが、
ｂ１）前記パケット送信エンティティが前記パケット受信エンティティにパラメータ信号チャネルを割当てるまで、前記パケット受信エンティティに前記パラメータ信号チャネルすべてを逆拡散させ、そして、前記パラメータ信号チャネルの予め定められたサブセットを復号化させる手段であって、前記パラメータ信号チャネルの予め定められたサブセットが、前記パラメータ信号チャネルのすべて、または１つであるか、あるいは、いずれのパラメータ信号チャネルも含まないものであり
ｂ２）前記そのときのＴＴＩのための割当てであるパラメータ信号チャネルの割当てを前記パケット受信エンティティに解釈させ、そして、前記パラメータ信号チャネルからパラメータデータを得るように、前記そのときのＴＴＩにおける前記割当てられたパラメータ信号を前記パケット受信エンティティに逆拡散させて、復号化させる手段と
ｂ３）前記次のＴＴＩにおける前記共用データチャネルの内容を読取る際に、前記パラメータデータを前記パケット受信エンティティに使用させる手段と
ｂ４）前記次のＴＴＩが前記パケットの少なくとも一部を含むかどうかを決定するように、前記パケット送信エンティティによって通信される情報を前記パケット受信エンティティにモニタさせる手段と
ｂ５）前記最後のＴＴＩ前に前記パケットの一部が前記データチャネルによって伝送される前記ＴＴＩまでの各ＴＴＩにおいて、前記パケット受信エンティティに前記割当てられたパラメータ信号チャネルだけを逆拡散させ、そして、さらに、前記割当てられたパラメータ信号チャネルも復号化させる手段と
ｂ６）前記パケットの一部が、前記共用データチャネルによって伝送される前記最後のＴＴＩのために、前記パケット受信エンティティに、前記割当てられたパラメータ信号チャネルだけを逆拡散させ、そして、さらに、前記割当てられたパラメータ信号チャネルをバッファリングさせる手段と
を備えているシステム。
【発明の詳細な説明】
【技術分野】
【０００１】
［発明の分野］
本発明は、３ＧＰＰ（第３世代パートナーシッププロジェクト（Third Generation Partnership Project））広帯域符号分割多元接続（Wideband Code Division Multiple Access：ＷＣＤＭＡ）リリース５、高速ダウンリンクパケット接続（High Speed Downlink Packet Access：ＨＳＤＰＡ）によって規定されるシステムなどによって提供されるだけでなく、パケット伝送を供給する他の種類の無線通信システムなどによって提供されるの無線通信に関する。より詳細には、本発明は、そのような通信システムにおける基地局と通信する移動局のページングに関する。
【背景技術】
【０００２】
［発明の背景］
図１は、１５のスロットに分割される、いくつかの複合（同相および直交）チップを含む無線フレームを例示している。その無線フレームは、１０ミリセカンド（１０ＭＳ）の持続期間を有し、そして、３８４００チップを含むことができる。第３世代パートナーシッププロジェクト（Third Generation Partnership Project：３ＧＰＰ）において、各そのようなフレームは、周期性を規定する伝送時間間隔（ＴＴＩ：Transmission Time Interval）と呼ばれ、その間隔でトランスポートブロックセットは、無線インターフェースによって物理層に転送される。各スロットは、したがって、たとえば、２５６（２５６のＳＦを有して）の１０倍のチップ記号を表わしうる２５６０チップを含んでいる。そのようなフレーム／スロット／チップ構造は、最近考慮中の３ＧＰＰ、広帯域ＣＤＭＡ通信システムの特徴である。そのような通信システムにおけるＢＳによって伝送される無線信号は、拡散データおよびスクランブルされたデータの合計であり、そして、ビットおよびスクランブルされない同期チャネルを制御する。データおよび制御ビットは、一般に、Walsh-Hadamard（ウォルシュ−アダマール）シーケンスなどの１つまたは複数の直交シーケンスとの、（ＤＳ−ＣＤＭＡシステムにおける）ビット様式置換えか、あるいは、ブロック様式置換えのいずれかによって拡散される。（これは、時には、Ｍに関する直交キーイングと呼ばれる。）上記に述べられるように、拡散結果は、その場合、通常、擬似雑音（ＰＮ）スクランブリングシーケンスのビット様式のモジュロ−２加算によってスクランブルされる。
【０００３】
データビットが、オーディオ情報、ビデオ情報、テキスト情報などのユーザー情報を含んでいるということと、そして、異なるユーザーの情報が、複数の相互に直交するWalsh-Hadamard（ウォルシュ−アダマール）シーケンスなどの複数の識別可能なスプレッディングシーケンスを使用することによって、ＣＤＭＡ原理により識別可能にされるということは明らかである。ある意味において、その場合、各ユーザーの１つまたは複数のWalsh-Hadamard（ウォルシュ−アダマール）シーケンスは、そのユーザーの通信チャネルを規定し、したがって、これらの識別可能なシーケンスが、ユーザーの情報をチャネル化するといわれている。それらの相関特性によるシーケンスの構造は、無線通信のための多重アクセスコーディング）についてのDentestらに対する米国特許第５，３５３，３５２号明細書と、モバイル無線通信のために、曲げられたシーケンス（Bent Sequences）を使用するマルチプルアクセスコーディングについてのG.Bottomleyらに対する米国特許第５，５５０，８０９号明細書とに記述されている。
【０００４】
音声電話技術、ファクシミリ、Ｅ−メール、ビデオ、Internet（インターネット）アクセスなどの様々な消費者需要を満たすために、様々なタイプの通信サービスを提供することは望ましい。そのうえ、ユーザーが、同時に異なるタイプのサービスにアクセスすることを望むことができるということは予測される。たとえば、２人のユーザー間のテレビ会議は、音声およびビデオサポートの両方を含んでいる。いくつかのサービスは、他のサービスよりも高いデータ伝送速度を必要とし、そして、いくつかのサービスは、通信のあいだにデータ伝送速度が変化させられることが有利である。
【０００５】
図２は、複数のWalsh-Hadamard（ウォルシュ−アダマール）シーケンス、あるいは、コードのための典型的なツリー構造を描いている。コードツリーにおけるレベルは、異なる拡散ファクタに対応する、異なる長さのチャネル化コードを規定する。図２において、ツリーのルートは、拡散ファクタＳＦ＝１を有するコードＣ1,1によって示され、そのツリーのレベル１は、それぞれが、２の拡散コードなどを有するＣ2,1、Ｃ2,2を含んでいる。各レベルで、例示的な対応するシーケンス、あるいは、コードが示されている。ルートレベルについて、示されている例示は、レベル１に対して、［１］であり、示されている例示コードは、［１  １］、［１  ‐１］などである。例示されている表記ＣK,iにおいて、Ｋは、拡散ファクタＳＦであり、そして、インデックスＩは、同一レベルにおけるコードを簡単に識別する。ツリーは、１つが図２において右側へ移動するときブランチに続いているということと、ルートレベルにおけるコードシーケンスに対して、例示されているような単に１つの要素を有することが必要でないということは明らかである。
【０００６】
コードツリーにおけるすべてのコードは、すべてのコードが相互に直交していないので、同一セルに、あるいは、相互干渉を受けやすい他の環境に同時に使用されることができない。コードは、特定のコードからツリーのルートへのパスに、あるいは、特定のコードの下のサブツリーに他のコードが使用されない場合、そしてその場合にのみ、１つのコードが使用されることが可能である。このことは、使用可能なチャネル化コードの数が、固定されていないが、相互に干渉することが可能であるかもしれないチャネルのグループにおける各チャネルの伝送速度および拡散ファクタに左右されることを意味する。
【０００７】
適格のチャネル化コードは、異なる伝送速度および拡散ファクタのチャネルのためのコードツリー構造における使用可能なふさわしいコードの中からランダムに割当てられることが可能である。すなわち、適格のコードが、直交性を維持すること以外には、異なる接続間での協調なしに割当てられることができる。アップリンクでは、異なるユーザー（接続）は、異なるスクランブリングコードを使用し、ツリーにおける拡散コードのすべては、異なるユーザー間の協調なく各ユーザーのために使用されることが可能である。ダウンリンクでの状態は、ＢＳが、一般に、すべてのユーザー（接続）のために１つのスクランブリングコードのみを使用するので異なる場合がある。したがって、拡散コードは、そのように自由に割当てられることができず、ユーザー間の協調が必要とされる。
【０００８】
ＷＣＤＭＡ利用システムにおいて、高速データ伝送は、たとえば、いわゆる高速ダウンリンクパケットアクセス（ＨＳＤＰＡ）テクノロジーによって可能にされることができる。高速ダウンリンクパケットアクセス（ＨＳＤＰＡ）は、高速ハイブリッド自動再送要求（ＨＡＲＱ）、適応コーディングおよび変調（ＡＭＣ）および／または高速セルセレクション（ＦＣＳ）などの機能を含むことができる。これらの機能は、当業者には周知であり、したがって、詳細には説明されていない。ＨＳＰＤＡのこれらの機能および他の機能のより詳細な説明は、‘ＵＴＲＡ高速ダウンリンクパケットアクセス（UTRA High Speed Downlink Packet Access）’と題が付けられた第３世代パートナーシッププロジェクトテクニカルレポートＮＯ．３ＧＴＲ２５，８４８  Ｒｅｌｅａｓｅ  ２０００から知ることができる。ＨＳＤＰＡは、ＷＣＤＭＡに使用されるように規定されたとはいえ、類似する基本原理は、他のアクセステクニックに適用されることができるということが明らかである。
【０００９】
現在、高速ダウンリンクパケットアクセス（ＨＳＤＰＡ）において、高速ダウンリンク共用チャネル（ＨＳ−ＤＳＣＨ）によってデータを受信する各ユーザーの装置が、さらに、対応付けられた専用チャネル（ＤＣＨ）を割当てさせるということは想定される。その専用チャネルは、物理層における専用物理チャネル（ＤＰＣＨ）へマップされることができる。ＤＰＣＨは、一般に、アップリンクとダウンリンクとの両方において、専用物理データチャネル（ＤＰＤＣＨ）と専用物理制御チャネル（ＤＰＣＣＨ）とに分割される。電源制御装置コマンド、トランスポートフォーマット情報、専用パイロットシンボルなどのデータは、ＤＰＣＣＨによって伝送される。ダイバーシチフィードバック情報は、さらに、アップリンクにおいてＤＰＣＣＨによって伝送されることができる。ＨＳ−ＤＳＣＨは、物理層における１つまたはいくつかの高速物理ダウンリンク共用チャネル（ＨＳ−ＰＤＳＣＨ）へマップされることができる。
【００１０】
対応付けられた専用チャネルは、一般に、ダウンリンクとアップリンクとの両方において供給される。専用チャネルは、一般に、情報伝送またはシグナリングに関連するＨＳＤＰＡだけでなく、音声および制御データなどの他の専用データを伝送するのに使用される。ユーザー装置は、同時にいくつかの基地局と通信することができる。たとえば、対応付けられた専用チャネルが、ソフトハンドオーバー状態の場合である。
【００１１】
対応付けられた専用チャネルに加えて、ＨＳ−ＤＳＣＨは、さらに、共用制御チャネル（ＳＣＣＨ）と対応付けられることができる。ＳＣＣＨは、ＨＳ−ＤＳＣＨによってデータを受信するそれらのユーザーに対してＨＳ−ＤＳＣＨ特定情報／信号を運ぶのに使用されることが可能である。
【００１２】
最近の提案は、ＨＳ−ＤＳＣＨおよびＳＣＣＨによってデータを読取らせることをユーザー装置に通知するために専用チャネルを使用することである。すなわち、所定の時間にデータを受信するそれらのユーザーのみが、専用チャネルによって指示を受信する。専用チャネルは、それが共用チャネルを指しているのでポインタチャネルと呼ばれることがある。専用チャネルは、さらに、変調およびコーディング体系、電力レベル、そして、狭チャネルに使用される類似するパラメータについての情報を含有することができる。この情報は、さらに、共用チャネルによって送信されることが可能である。共用制御チャネルはこれに対して、共用データチャネル（ＨＳ−ＤＳＣＨ）によって伝送されるデータに特定である情報を運ぶのに使用される。この情報は、たとえば、ＨＡＲＱなどのためのパケット数を含有することが可能である。共用制御チャネルは、独立したコードチャネル（多重化されるコード）によってか、あるいは、ＨＳ−ＰＤＳＣＨと同じコードチャネル（多重化される時間）を使用して、送信されることが可能である。
【００１３】
専用チャネルとは違って、ＨＳ−ＤＳＣＨは、ソフトハンドオーバー状態でないと想定される。すなわち、各基地局はそれら独自の共用チャネルを有するように想定され、そして、ユーザー装置は同時に１つの基地局だけからデータを受信するように想定される。いわゆる高速セルセレクション（ＦＣＳ）技術は、１つの基地局から別の基地局へデータ伝送をスイッチするのに使用されることができる。とはいえ、共用チャネルは電源制御を使用しない。その代わりに共用チャネルは、固定電力、あるいは、セミ固定電力で伝送されるように提案されている。セミ固定という用語はここでは、電力が変更されることが多くないことを意味している。電力は、たとえば、セル特定パラメータでよい。
【００１４】
最近提案された配列において、高速ダウン共用チャネル（ＨＳ−ＤＳＣＨ）は、ダウンリンクにおいて、受信ステーションが共用チャネルによって受信するときに、少なくともタイミングに関する情報を運ぶ専用チャネルと対応付けられるように計画されている。対応付けられた専用チャネルは、さらに、他の情報も運ぶことができるかもしれない。アップリンクでは、対応付けされた専用チャネルは、たとえば、高速ＨＡＲＱのために必要とされる肯定応答（ＡＣＫ）を運ぶことができる。
【００１５】
ＨＳＤＰＡのための伝送時間間隔（ＴＴＩ）は、Ｒｅｌ’９９  ＷＣＤＭＡのためのものよりも短い。１、３、５および１５のスロットのＴＴＩ長さが提案され、それぞれ、０．６７ｍｓ、２ｍｓ、３．３３ｍｓおよび１０ｍｓに相当する。最近、３のスロットすなわち２ｍｓのＴＴＩは最も有望な選択であり、そして、この状況において好ましい解決法として考慮されている。
【００１６】
本発明によって取り組まれる問題点
ＨＳＤＰＡなどのパケットアクセスシステムにおいては一般に、ユーザーが送信または受信するためにデータを有しているときのみ、ユーザーは通信リンク（チャネル）および媒体にアクセスする。通信リンクを効果的に利用するために、数名のユーザーが、通常、同じリンクを共有する。
【００１７】
各ユーザーが、受信されるデータがあるときを知ることができるように、そして、通信リンクにアクセスするのを知るように、いくつかのシステムにおいて、リンクマスターは、ユーザーにデータパケットが送信されようとしていることを通知する。ゆえに、そのようなシステムにおいて、各ユーザーは、多かれ少なかれ連続してパケットページングチャネルを聞いている必要がある。
【００１８】
通信リンクは、多数のユーザー間で統計的に多重化されることが可能なので、さらに、各ユーザーに対して１つ、多数のパケットページングチャネルが必要とされる。ページングチャネルの数をできるだけ多くさせるために（すなわち、使用可能なコードおよびコードチャネルの数を最大にするために）、ページングチャネルのための拡散ファクタは、いくつかのシステムに使用され、そして、その拡散ファクタは、できるだけ多くのユーザーがコードツリーの同じ部分を使用することを可能とするように、できるだけ高くさせる。
【００１９】
ページングチャネルのための高拡散ファクタは、チャネルにおけるきわめて低いビットレートを暗に示している。これに反して、提案されたＨＳＤＰＡなどの高フレキシブルおよび適応システムは、多数のパラメータが各パケットといっしょに移動局へ伝送されることを必要とする。
【００２０】
このために、先行技術は、ページングチャネルとは異なる別のセットのコードチャネルが、パラメータ信号に使用されるということを提案した。（パラメータ信号のために別のセットのコートチャネルを使用するとき、ページングチャネルは、それがパラメータ信号チャネルによって受信されるデータがあるか、あるいは、それが特定のパラメータ信号チャネルをポイントするかのいずれかを示すので、ページング指示チャネルまたはポインタチャネルと呼ばれることがある。）そのようなコードチャネルの数は、あらゆる特定の伝送間隔におけるコード多重化されたユーザーの数と同じであるべきである。この数は通常、アクティブユーザーの数よりもずっと少ないので、先行技術はパラメータ信号チャネルがアクティブユーザー間で共用されることを提案した。たとえば、Ｃｈａｐｔｅｒ  ６．３．２．１．２．（Ｔｗｏ−Ｓｔｅｐ  Ｓｉｇｎａｌｉｎｇ  Ａｐｐｒｏａｃｈ（２段階信号方式アプローチ））  ｏｆ  ３ＧＰＰ  ＴＲ  ２５．８５５  ｖｌ．１．０．を参照。
【００２１】
上記のように、ＨＳＤＰＡにおいて、固定された拡散ファクタはデータコードチャネルに使用され、そしてこの時に、１６の値を有する。ゆえに、多くて、１６の最高速度データコードチャネルが使用可能である。それらのチャネルの少なくとも１つ、すなわち、コードツリーのブランチの１つは、たとえば、移動局におけるチャネル推定および他の共通チャネルだけでなく、専用（パケットページング）チャネルおよびパラメータ信号チャネル（共用制御チャネルとも呼ばれる）に使用される共通パイロットチャネル（ＣＰＩＣＨ）に割当てられる必要がある。残りの１５のコードブランチは、先行技術によれば、一人のユーザーに一時的に割当てられるか、あるいはそれらが、多くて１５の独立したユーザーに割当てられるかのいずれかである。前者の場合、１つのパラメータ信号チャネルが必要とされ、後者の場合、１５のパラメータ信号チャネルが必要とされる。一般に、共用データチャネルは、多数のユーザーによって所定のＴＴＩ内に共用されるように想定され、それは、コード多重化されている。図３には、４つの共用制御チャネルを有する例示が示されている。いずれの場合にも、データチャネル（時分割多元接続によって）を共用する１５人以上のアクティブユーザーが可能である。
【００２２】
先行技術によれば、各アクティブ移動局は、その独自のページングチャネルを復号化する。特定の移動局のための伝送があるとき、その移動局のためのページングチャネルがそのように指示する。ほかに、移動局のためのページングチャネルは、伝送間隔のためのパラメータが信号で送られるコード（パラメータ信号）チャネルを指示する。移動局は、その場合、割当てられたパラメータ信号チャネルを復号化し、それにより、移動局がつぎに、実データ伝送を復号化することを可能にする。
【００２３】
上記プロトコルに対する主な問題は、ページングチャネル内容、パラメータ信号チャネル内容および１つまたは複数のデータチャネル内容が、順番に送信される場合、３つのフレームあるいは伝送時間間隔（ＴＴＩ）は、１つのデータ伝送を完了するのに必要とされる。その結果、先行技術はさらに、３つの異なるチャネルすべての内容のすべてが同時に、すなわち単一のＴＴＩ内に送信されることを提供している。
【００２４】
３つの異なるチャネルすべての内容のすべてが同時に送信される場合、移動局は、復号化される必要があるすべてのチャネル、すなわち、パラメータ信号コードチャネルすべておよびデータチャネルすべてをバッファリングする必要がある。ＨＳＤＰＡについて最悪の場合、これは、合計３０の独立したチャネルに達する。３０のチャネルを処理するべく、移動局において大きい十分なバッファを備えることは難しく、そして費用がかかることである。移動局にバッファを備えるための別の方法として、先行技術はさらに、チャネルがチップレベルでバッファリングされるのではなく、チャネルが逆拡散された後にバッファリングされる方法を提供している（すなわち、逆拡散される前では、チャネルは拡散コードでバッファリングされるが、それはいっそう多くのメモリを必要とする）。そのような別の方法は、少ないメモリを必要とするが、多数の逆拡散器を必要とする。
【発明の開示】
【００２５】
必要とされることは、３つのチャネル同時の先行技術におけるように多数のデスプレッダーを必要とすることなく、そして、１つのチャネル同時の先行技術におけるように３つのＴＴＩを必要とすることなく、３つの種類のチャネル（ページングチャネル、パラメータ信号チャネルおよびデータチャネル）の内容を移動局に送信する方法である。
【００２６】
それゆえに、本発明は、基地局などのパケット送信エンティティと、移動局などのパケット受信エンティティと、そのパケット送信エンティティおよびパケット受信エンティティが、パケット送信エンティティにパケット受信エンティティに対してパケットを通信させるように機能する方法と、パケット送信エンティティおよびパケット受信エンティティの両方を含む対応するシステムとからなり、パケット送信エンティティおよびパケット受信エンティティが、複数のパラメータ信号チャネル（ＳＣＣＨ）を使用して、そして、複数の共用データチャネル（ＳＤＣＨ）を使用して、さらに、パケットデータが、パケット送信エンティティからパケット受信エンティティへ伝送されるときに、パケット送信エンティティとパケット受信エンティティとのあいだの通信が、１つ以上の伝送時間間隔（ＴＴＩＳ）によって生ずるプロトコルにより作動して、パケット通信システムを経由して通信する状況に使用される方法からなる。その方法は、パラメータ信号チャネルが、パケットを通信するためにパケット受信エンティティに割当てられると、その割当てられたパラメータ信号チャネルは、次のＴＴＩにパケットの一部があるかぎり、各次のＴＴＩにおいてパケット受信エンティティによって使用され、そして、次のＴＴＩにおいてパケットの少なくとも一部があるとき、その次のＴＴＩのために、パケット受信エンティティがデータチャネルといっしょに１つのパラメータ信号チャネルだけを逆拡散して、復号化し、そして、次のＴＴＩにおいてパケットの少なくとも一部がないとき、次のＴＴＩのために、パケット受信エンティティが、パラメータ信号チャネルすべてを逆拡散し、そして、パラメータ信号チャネルのすべて、または１つを復号化するか、あるいはいずれのパラメータ信号チャネルをも復号化しないかのいずれかである。
【００２７】
本発明の第１の態様では、パケット送信エンティティの作動についての方法が提供される。その方法は、パラメータ信号チャネルの少なくとも１つを使用して共用データチャネルのいくつか、あるいは、すべてを復号化するために、パラメータの少なくともいくつかを、パケット送信エンティティにパケット受信エンティティに対して伝送させるパラメータ伝送ステップと、少なくとも１つのパラメータ信号チャネルによって供給されるパラメータによる共用データチャネルの少なくとも１つを使用して通信されるデータを、パケット送信エンティティにパケット受信エンティティに対して供給させるデータ供給ステップと、つぎの連続するＴＴＩにおける同じパケット受信エンティティのために共用データチャネルの少なくとも１つによって伝送されるあらゆる追加データを復号化するためのパラメータを伝送するために、パケット送信エンティティに同一の少なくとも１つのパラメータ信号チャネルを使用することを続けさせる別のパラメータ伝送ステップとを含む。
【００２８】
本発明の第１の態様の別の態様において、パラメータ伝送ステップでは、パケット送信エンティティは、つぎのＴＴＩ内の共用データチャネルのいくつか、あるいは、すべてを復号化するためのパラメータの少なくともいくつかを１つのＴＴＩ内に、パケット受信エンティティに伝送する。さらに別の態様において、データ供給ステップでは、パケット送信エンティティは、パラメータ信号チャネルが少なくとも１つのパラメータ信号チャネルによって供給されるパラメータにより共用データチャネルの少なくとも１つを使用して通信されるデータを伝送されるＴＴＩに直ぐに続くＴＴＩにおいてパケット受信エンティティに供給する。
【００２９】
本発明の第２の態様では、パケット受信エンティティの作動についての方法が提供される。その方法は、パケット送信エンティティがパケット受信エンティティにパラメータ信号チャネルを割当てるまで、パケット受信エンティティにパラメータ信号チャネルすべてを逆拡散させ、そして、パラメータ信号チャネルの予め定められたサブセットを復号化させるステップであって、パラメータ信号チャネルのその予め定められたサブセットは、パラメータ信号チャネルのすべて、または１つ、あるいはいずれのパラメータ信号チャネルも含まれないかのいずれかであり、パラメータ信号チャネルが、先ず、パケット受信エンティティに割当てられると、そのときのＴＴＩのためのパラメータ信号チャネルの割当てである割当てをパケット受信エンティティに解釈させ、そして、パラメータ信号チャネルからパラメータデータを得るように、そのときのＴＴＩにおける割当てられたパラメータ信号をパケット受信エンティティに逆拡散させて、復号化させるステップと、次のＴＴＩにおける共用データチャネルの内容を読取る際に、パラメータデータをパケット受信エンティティに使用させるステップと、つぎのＴＴＩがパケットの少なくとも一部を含むかどうかを決定するように、パケット送信エンティティによって通信される情報をパケット受信エンティティにモニタさせるステップと、最後のＴＴＩ前にパケットの一部がデータチャネルによって伝送されるＴＴＩまでの各ＴＴＩにおいて、パケット受信エンティティに割当てられたパラメータ信号チャネルだけを逆拡散させ、さらに、割当てられたパラメータ信号チャネルも復号化させるステップと、パケットの一部が、共用データチャネルによって伝送される最後のＴＴＩのために、パケット受信エンティティに、割当てられたパラメータ信号チャネルだけを逆拡散させ、さらに、割当てられたパラメータ信号チャネルをバッファリングさせるステップとを含んでいる。
【００３０】
このように本発明は、移動局の移動の複雑性を最小にし、そして、ハイブリッド自動再送要求（ＨＡＲＱ）が採用される場合、基地局の処理時間を最大にするような、移動局をページングする方法および配列を提供する。
【００３１】
本発明の上記および他の目的、特徴そして利点は、添付の図面を参照として呈されている次の詳細な説明を考慮すると明らかになる。
【発明を実施するための最良の形態】
【００３２】
本発明は、ここでは、３ＧＰＰ（第３世代パートナーシッププロジェクト（Third Generation Partnership Project））広帯域符号分割多元接続（Wideband Code Devision Multiple Access：ＷＣＤＭＡ）リリース５、ＨＳＤＰＡにおいて述べられているように、高速ダウンリンクパケットアクセス（ＨＳＤＰＡ）でハイブリッド自動再送要求（Ｈ−ＡＲＱ）を実施する通信システムに対するアプリケーションについて説明されている。とはいえ本発明は、ＨＡＲＱが使用されようとなかろうと、無線通信システムに使用されると理解されるべきである。本発明は、３つの伝送時間間隔（ＴＴＩＳ）を必要としない利点を提案し、それにより、ＨＡＲＱを使用するシステムの場合に利益をもたらす。
【００３３】
本発明
本発明は、先行技術の２つの上述したアプローチ、すなわち、３つのチャネル同時アプローチおよび１つのチャネル同時アプローチのあいだの折衷案に達するプロトコルを提供する。本発明の場合、特定の移動局へのデータパケットの開始の伝送は、先行技術におけるような１つ、あるいは、３つの代わりに、２つの連続伝送間隔へずらされている（区分されている）。
【００３４】
本発明によれば、パケット伝送を待っているあいだに、移動局は、パラメータ信号チャネルすべてをバッファリングし、そして、その移動局に割当てられるページングチャネルを復号化する。この段階では、移動局は、最大１５のチャネルをバッファリングする必要があるが、可能性としては、はるかに少ない。先行技術におけるように、移動局に割当てられるページングチャネルは、パケットが伝送されることを指示するとき、それはさらに、どのパラメータ信号チャネルが使用されることを指示する。
【００３５】
本発明によれば、先行技術におけるのと異なって、パラメータ信号チャネルが、まず移動局に伝達されると、同一のパラメータ信号チャネル（同一のチャネル化コードを意味する）は、データが移動局に送信されるすべての別の連続伝送時間間隔に使用される（すなわち、データは、同一のパケット伝送バーストに属している）。ゆえに、この段階では、本発明によれば、移動局は、１５のデータチャネルをバッファリングする必要があるが、同一のパラメータ信号チャネルが、たとえば、一人のユーザーのために連続データ伝送中使用されるので、余分のパラメータ信号チャネルをバッファリングする必要がなく、たとえば図４におけるように、そのデータはカラム２−４におけるＳＤＣＨに供給される
本発明によれば、コード逆拡散（多数のレーキフィンガ）は、最も効果的にされる。すなわち、移動局に伝送されるデータがないとき、すべての‘データ’フィンガは自由であり、共用制御チャネルを逆拡散するのに使用されることが可能である。データチャネル（あるいは、その一部）が、移動局に割当てられるとき、その移動局は共用制御チャネルの１つによって前のＴＴＩのあいだにそのように通知される。いっそう多くのデータが、つぎの（複数の）ＴＴＩにおいて同一の移動局に送信される場合、パラメータは、第１の伝送のためのと同じ共用制御チャネルを使用して送信される。したがって、共用データチャネルによってデータを受信するとき、移動局は、１つの共用制御チャネルを逆拡散する（そして、復号化する）ことが必要なだけである。
【００３６】
ここでは、ＨＳＤＰＡを実施する通信システムを使用する本発明を例示する図３を参照すると、専用物理チャネルＤＰＣＨは、ページングチャネルとして使用されている。図３の例では、パラメータ信号チャネルとして使用される４つの共用制御コードチャネルＳＣＣＨＳ、および共用データチャネルとして使用される１０の共用データコードチャネルがある。ＴＴＩ境界の１５は、ＤＰＣＨのための列からＳＤＣＨのための列のすべてを通って延在する鉛直破線によって表示されている。チャネル指示（特定のＳＣＣＨを指示する）としての役を果たす、０、１、２、３、あるいは、４のいずれかの数字を伝達する、ここではＤＰＣＨスロット呼ばれる異なるＴＴＩＳのためのＤＰＣＨが示されている。示されている０でない数字は、そのときのＴＴＩのために移動局によって使用されるＳＣＣＨの数字を表示する共用コードチャネルＳＣＣＨの数字のセットのサブセットである。ＤＰＣＨスロットにおける０の値は、次のＴＴＩにおける移動局のためにデータがないことを、それゆえに、そのときのＴＴＩにおける共用制御チャネルのいずれにもパラメータ情報がないことを表示する。破線の輪郭線を有するブロックは、受信されるが、それを復号化する（読取る）必要がないコードチャネル（共用制御チャネル）を、移動局が逆拡散して、バッファリングすることを意味している。実線の輪郭線を有するブロックは、移動局がコードチャネルを逆拡散して、復号化する（読取る）ことを意味している。（実線に縁取られたグレイで示されているすべてのブロックは、移動局が逆拡散して復号化する必要があるブロックである。スラッシュの線を有するブロックは、移動局のために意図されないブロックである、すなわち、実線の縁とスラッシュの線とを有するグレイのブロックは、移動局のために意図されないブロックであるが、移動局はそれを逆拡散して復号化する必要があるのに対して、破線の縁とスラッシュの線とを有する白いブロックは、移動局のために意図されないブロックであるが、移動局はその１つをとにかく逆拡散してバッファリングする必要がある。フレームを持たないＴＴＩＳは、他の移動局に使用されることが可能である。）
【００３７】
（拡散することおよびスクランブリング、そして、対応する逆拡散および逆スクランブリングの順序を入れ替えることが可能であることに留意すること。とはいえ送信機において符号化は、拡散およびスクランブリングの前に行われる必要があり、そして、受信側においてデコーディングは最後に行われる必要がある。）
【００３８】
したがって図３に示されるように、本発明によれば、移動局が共用データチャネルＳＤＣＨによってデータを受信しないあいだ、これらのＴＴＩＳにおいて移動局は、共用コードチャネルＳＣＣＨ（あるいは、その予め規定されたセット）すべてを逆拡散してバッファリングする。
【００３９】
移動局が、（正しいパラメータで次のＴＴＩにおいてデータを受信するために）共用制御チャネルＳＣＣＨを割当てられるとき、ネットワークは、本発明により、データ（パケットバーストの継続）が、続いて伝達されるあいだ、つぎの連続するＴＴＩのすべてにおいて同じＳＣＣＨを使用するだけであり、そのために、移動局は、１つまたは複数のＳＤＣＨによってデータを逆拡散して復号化するとき、１つのＳＣＣＨを逆拡散して復号化することが必要であるだけである。データ伝送が（パケットバーストのために）完了するとき、それが再度（最初に割当てられたＳＣＣＨとは異なる）ＳＣＣＨに割当てられるまで、移動局はＳＣＣＨすべてを再び逆拡散する。移動局は、データが伝送されるあいだ、そのときのＴＴＩのためのみならず、すべての次の、連続するＴＴＩのために新しく割当てられたＳＣＣＨを使用する。図３に示されるように、本発明によれば、データチャネルは、受信するデータがあるときだけ逆拡散され、そして、すべての制御チャネルは、同時データがないときだけ受信される。
【００４０】
図４ないし図６は、本発明によるＤＰＣＨおよびＳＣＣＨＳのための２つの他の配列を示している。ここでは、図４を参照すると、ＤＰＣＨは、単一のビットインジケータ、すなわち、０か１のいずれかを伝達すると想定される。（実際問題として、情報のビットを伝達することは、電波送信媒体によっていくつかの物理ビットを伝送することを必要とする、すなわち、そのビットは、周知のチャネルコーディング技術を使用して繰返されるか、あるいは、そうでない場合、保護されることができるということは当業者には理解される。）ビットインジケータは、移動局が次のＴＴＩにおけるデータを受信しようとするところであるかどうか、それゆえ、移動局がパラメータ情報を得るために共用制御チャネルを読取る（復号化する）必要があるかどうかを表示する。移動局は、どのＳＣＣＨによって、それのためのパラメータ情報が伝送されることを見出すために、ＳＣＣＨＳのすべて（あるいは、予め規定されたサブセット）を復号化する必要がある。どのＳＣＣＨが使用されるかを移動局に伝達するために、移動局の１つ、あるいは、もう１つの識別子は、移動局が使用しているＳＣＣＨによって送信されることが可能である；別の方法として、ＣＲＣ（巡回冗長検査）は、移動局に特化したものである（すなわち、そのために、他の移動局は、ＳＣＣＨを復号化しようとするときデコーディング障害をこうむることがある）。次のＴＴＩＳにおいて、同一のＳＣＣＨが前の場合におけるように使用される、すなわち、単に１つのＳＣＣＨが、受信されたデータチャネルで同時に逆拡散され、そして、復号化される必要がある。ＤＰＣＨは、次のＴＴＩにおいて移動局のためのデータがないことをビットインジケータのために０で表示するとき、その場合、そのときのＴＴＩにおける１つまたは複数のＳＣＣＨは、図４に表示されるように、復号化されないが、逆拡散され、そして、バッファリングされる必要がある。バイナリインジケータが１から０へ変わる最初のＴＴＩについて、単に割当てられたＳＣＣＨが、逆拡散され、そして、次に、それは、復号化されないで、バッファリングされる（移動局は、ＳＣＣＨがそのときのＴＴＩにおいてそれのためのパラメータ情報を含有していないことをバイナリインジケータから知らされる）。
【００４１】
ここでは、図５を参照すると、本発明による別の配列において、ＤＰＣＨは、ビットインジケータ（図４におけるような）、あるいは、チャネルインジケータ（図３におけるような）を伝達しない；いくつかの実施態様において、ＤＰＣＨは、少しも使用されていない。その結果、移動局は、データを受信しないとき、それらの１つがそれのために意図されているかどうかを見出すために、ＳＣＣＨＳのすべて（あるいは、予め規定されたセット）を逆拡散し、そして、復号化する必要がある。再度、ＳＣＣＨは、図４に関連して上記に説明されているように、移動局に特化したＣＲＣを使用することなどによって、移動局識別子を明白に伝達するか、あるいは、移動局を間接的に表示するかのいずれかをする必要がある。移動局が、ＳＣＣＨＳの１つによってそれのための制御情報を見出すと、それは、パラメータを読取り、そして、そのパラメータにより、次のＴＴＩＳにおけるデータを受信する。次の連続ＴＴＩＳにおいて、制御情報は、同じＳＣＣＨによって送信され、そして、移動局は、１つのＳＣＣＨを単に読取り、同時にデータを受信する必要がある。
【００４２】
ここでは、図６を参照すると、本発明によるさらに別の配列において、ＤＰＣＨは、再度、図４に例示される配列におけるように、単一のビットインジケータ（０か、あるいは、１のいずれか）を伝達するのに使用されるが、図６に示される配列において、ビットインジケータは、バイナリインジケータが図４において伝送されるＴＴＩに先行するＴＴＩにおいて伝送される。ビットインジケータは、どのＳＣＣＨが復号化するかを表示することができないので、すべてのＳＣＣＨＳは、同時データがない場合（すなわち、ＴＴＩが、さらに、パケットの少なくとも一部を伝達しない場合）、復号化される必要がある。図４に例示される配列におけるように、同一のＳＣＣＨは、次の連続するＴＴＩＳに使用され（バーストのすべてが伝達されるまで）、そして、次のＴＴＩＳに同時データがあるあいだ、単一のＳＣＣＨだけが、逆拡散され、そして、復号化される必要がある。図４におけるように、割当てられるパラメータ信号チャネルが、携帯電話、すなわち、いずれにしろ明白に（たとえば、割当てられるパラメータ信号チャネルによって携帯電話の識別子を使用して、あるいは、間接的に、割当てられるＳＣＣＨ、すなわち、モバイルによって独占的に使用されるコードを符号化するために、ＣＲＣコードなどの誤り検知コードを使用して）通信されることが可能である少なくとも２つの方法がある。図４に例示される配列におけるように、どのチャネルが割当てられるかの表示は、パケットの少なくとも一部分が先ず伝達されるＴＴＩの直ぐ前のＴＴＩまで供給されない。
【００４３】
別の実施例において、拡散（および、逆拡散）は、“インターレースされて”行われることが可能である。すなわち、同一の逆拡散器は、チャネル１から１つのチップを、次に、チャネル２から１つのチップをなど逆拡散し、そして、その逆拡散は、次に、チャネル１から次のチップなどのようにスタートする。
【００４４】
発明の範囲
上述の配列は、本発明の原理の適用の単なる例示であるということは理解される。特に、本発明は、パケットを移動局へ通信する基地局に関連して示され、そして説明されてきたとはいえ、本発明について基地局と移動局とのあいだの通信へその使用を制約するものでない。本発明は、パケット送信エンティティが、パケット受信エンティティへパケットを通信するあらゆる状態に使用され、そこでは、パケットが、共用制御チャネル（上記の説明においてＳＣＣＨとして呼ばれているチャネル）としての役割を果たす複数のパラメータ信号チャネルを含むパケット通信システムを使用し、そして、複数の共用データチャネル（上記の説明においてＳＤＣＨと呼ばれているチャネル）を使用して通信されるかぎり、パケット送信エンティティは、一般に同時にいくつかのパケット受信エンティティと通信し、そのパケット通信システムは、っプロトコルにより作動し、パケットデータが、パケット送信エンティティからパケット受信エンティティへ伝送されるとき、パケット送信エンティティとパケット受信エンティティとのあいだの通信は、１つ以上の伝送時間間隔によって生ずる。非常に多くの変更および別の配列が、本発明の範囲から逸脱することなく当業者によって考案されることができ、そして、添付の特許請求の範囲は、そのような変更および配列を保護するように意図されるものである。
【図面の簡単な説明】
【００４５】
【図１】先行技術による１５のスロットに分割されるＣＤＭＡを備えている無線フレームを例示している概略図である。
【図２】先行技術による長さＫのチャネル化コードを規定するコードツリーを例示している概略図である。
【図３】本発明の１つの実施例による移動局（そうでない場合、ユーザー装置、あるいは、移動局として周知である）のページングを例示している概略図である。
【図４】本発明の別の実施例による移動局のページングを例示している概略図である。
【図５】本発明のさらに別の実施例による移動局のページングを例示している概略図である。
【図６】本発明のさらに別の実施例による移動局のペイ−ジングを例示している概略図である。
【図１】
2005507583.tif 000003
【図２】
2005507583.tif 000004
【図３】
2005507583.tif 000005
【図４】
2005507583.tif 000006
【図５】
2005507583.tif 000007
【図６】
2005507583.tif 000008
【国際公開パンフレット】
2005507583.tif 000009
2005507583.tif 000010
2005507583.tif 000011
2005507583.tif 000012
2005507583.tif 000013
2005507583.tif 000014
2005507583.tif 000015
2005507583.tif 000016
2005507583.tif 000017
2005507583.tif 000018
2005507583.tif 000019
2005507583.tif 000020
2005507583.tif 000021
2005507583.tif 000022
2005507583.tif 000023
2005507583.tif 000024
2005507583.tif 000025
2005507583.tif 000026
2005507583.tif 000027
2005507583.tif 000028
2005507583.tif 000029
2005507583.tif 000030
2005507583.tif 000031
2005507583.tif 000032
2005507583.tif 000033
2005507583.tif 000034
2005507583.tif 000035
2005507583.tif 000036
2005507583.tif 000037
2005507583.tif 000038
2005507583.tif 000039
2005507583.tif 000040
2005507583.tif 000041
2005507583.tif 000042
2005507583.tif 000043
2005507583.tif 000044
2005507583.tif 000045
2005507583.tif 000046
2005507583.tif 000047